(57)【要約】【課題】家で見つけた蜘蛛、ゴキブリ、ムカデ、ヤモリなど様々な虫や生き物を恐れずに触ることなく清潔にスムーズに捕獲し逃がしたり、又殺傷の際殺虫剤を巻き散らかすことなく使用したり、虫への恐怖を減らし対処したい。【解決手段】虫の上から箱をかぶせる捕獲器。本体箱の開口部の淵にＬ字のつばがあり、開口面は水平で箱を床に置くと箱内は密閉状態となる。スライド式蓋の端にコの字の溝があり本体箱のつばにスライドし嵌合し蓋をすることで箱の内部を密閉したまま片手で持ち上げて移動することができる。捕獲後、ノズル差込の穴から殺虫剤のノズルを差込み捕獲器の中で殺傷することもできる。伸縮角度調整可能は柄をつけることで壁や天井も捕獲がしやすくなり捕獲者と虫の距離が離れるので虫への恐怖心も軽減すると共に粘着シートを本体箱内で虫に押し当てる仕組みもあり捕獲後の処理の負担も軽減される。【選択図】図３
2019170354.tif 000002
【特許請求の範囲】
【請求項１】
箱の１面が開口しており、開口面を虫に対し被せ捕獲する使用であり、開口面の周囲の淵に対し外側にＬ字となるつばを有した箱と、平面の板の端にコの字状の溝を有する蓋とからなる虫などの捕獲器であって、前記箱のつばに蓋のコの字状の溝が引っかかるようにスライドさせて篏合させることにより内部を密閉させることを特徴とする家の虫捕獲器。
【請求項２】
前記箱の面に殺虫剤スプレーノズル差込穴を設けたことを特徴とする請求項１記載の家の虫捕獲器。
【請求項３】
前記箱の上部に倒伏可能に連結されている及び／又は伸縮自在に形成した柄を取り付けたことを特徴とする請求項１または請求項２に記載の家の虫捕獲器。
【請求項４】
前記箱の上部に穴を設けると共に、平面板に粘着シートを取付た板に柄となる棒を前記穴に通し、棒を下に押し下げることにより平面板の粘着シートを箱内の虫に押し当てることを特徴とする請求項１から請求項３にいずれかに記載の家の虫捕獲器。
【発明の詳細な説明】
【技術分野】
【０００１】  本発明は、家で見つけた虫などの生き物を容易に捕獲し逃がしたり、捕獲器内にてスプレーにて殺傷し処理することもできる、家の虫捕獲器に関するものである。
【背景技術】
【０００２】  現在の家の虫対策としてはゴキブリやハエ、ネズミなどの害虫を対象としているものが多く、発見した虫に対してはスプレーなどで殺傷する方法が多い。捕獲式であっても粘着などのもので「解放する・逃がす」という発想のものはあまりない。しかしながら、家で見つける虫は殺傷したい害虫ばかりではなく実に様々な種類の虫が屋内に入り込み発見することがある。蜘蛛、蛾、ヤモリ、カナブン、アリ、バッタ等殺傷するには抵抗がある生き物を家で見つけることもある。また、ゴキブリなどの害虫であっても殺傷したくないっと考える人もおり、できるだけ生物の殺傷を好まない人もいる。逆にゲジゲジ、ムカデ等を家で発見したら大変恐怖であり戦いである。【０００３】  殺傷を目的とする場合、殺虫剤などのスプレー式殺虫剤は殺虫成分をまき散らし部屋を汚すし、害虫が天井や高い壁にいると殺虫剤を使うと更にスプレーをまき散らすことにもなるし目的を果たすのは難しい。又、殺傷後に死骸を捨てる処理もおそるおそる新聞紙に乗せくるんでごみ箱に捨てるなど嫌なものである。特に一人暮らしで虫が苦手な女性にとっては家で様々な虫を見つけてしまった場合大変対処に苦労をする。【０００４】  ペットボトルを切ったり箱状や筒状のものを使用してゴキブリを捕獲する方法が民間方法としてあるが、箱などを被せたはいいが捕獲後蓋などが無くそのまま動かすことができない、という欠点がある。
【先行技術文献】
【０００５】
【特許文献１】特許４４２７６７３号
【特許文献２】特開２００３−３１０１３０号
【特許文献３】特開２０１３−０４２６９８号
【特許文献４】特表平５−５０８５３６号
【特許文献５】特開２０００−１５７１３７号
【特許文献６】実用新案登録第３２１４８０３号
【発明の概要】
【発明が解決しようとする課題】
【０００６】  蜘蛛やアリ、小型のゴキブリなどの小さな虫は少しの隙間でも逃げてしまう為、少しの隙間も無い密閉度が必要である。蓋をする際に、隙間をつくり虫を逃がすことなく蓋をして、蓋がずれたり落とすことなく安全に片手で持ち運べる仕組みが必要である。先に挙げた先行文献においてはいずれも隙間や浮いてしまったり箱の密閉度が低い。先行技術文献に挙げた特許４４２７６７３号を例に挙げると箱の内側に蓋を引っかけるつばがある仕組みでは、蓋をスライドして入れ込む為の隙間が箱に必要である。その隙間から小さな虫は逃げてしまう。また箱の内側にあるつばでは蓋をスライドする際に虫がいる床・壁面と差し込む板の間に内側つば厚さ分の隙間があり小さな虫などは隙間に入ってしまったりうまく蓋の上に虫がのらず捕獲できないという欠点がある。虫に箱を被せた際、いかに隙間の少ない密閉空間ができるか、蓋をする際にも隙間が少なく密閉空間を維持する蓋の仕組みが大きな課題である。【０００７】  殺虫剤使用に際し、スプレー成分を巻き散らかさずに殺傷し、清潔でスムーズに死骸の処理を行うこと、蛾やハエなど飛ぶ虫はすばやく飛んで逃げるし高い処の捕獲も困難であり高所にいる虫も捕獲しやすいことも課題である。
【課題を解決するための手段】
【０００８】  本発明に係る家の虫捕獲器の第一の発明は、箱の１面が開口しており、開口面を虫に対し被せ捕獲する使用であり、開口面の周囲の淵に対し外側にＬ字となるつばを有した箱と、平面の板の端にコの字状の溝を有する蓋とからなる虫などの捕獲器であって、前記箱のつばに蓋のコの字状の溝が引っかかるようにスライドさせて篏合させることにより隙間をほぼ作らない内部の密閉状態の維持と片手での持ち運びの課題を解決した。【０００９】  第二の発明は前記箱の面に殺虫剤スプレーノズル差込穴を設け、限られた空間での殺虫剤使用を可能とした。【００１０】  第三の発明は前記箱の上部に伸縮可能で柄の角度の変更可能である柄を取り付けることにより高所の虫にも対応可能とした。【００１１】  第四の発明は箱の内側に上下に稼働する平板に粘着シートを取付け、箱に捕獲した虫もしくは殺虫剤を使用した後の死骸に粘着シートを押し当てて、粘着シートごと取り外し捨てる手段であり、より清潔でスムーズな虫の処理を可能とした。
【発明の効果】
【００１２】  本発明の家の虫捕獲器は、捕獲時も蓋をする時も移動時も常に隙間の無い密閉された状態を保つので、蜘蛛や小さな虫など家に出る様々な虫を手で触れることなく清潔安全にスムーズに捕獲し屋外に逃がすなど移動することができるようになる。【００１３】  ノズル差込口の穴を設けることにより殺虫剤のノズルを差し込み箱内で殺虫剤を使用することにより限られた空間内でのスプレーが可能となり、逃げるゴキブリを追いかけスプレーをまき散らすことなく殺傷でき、かつ捕獲してから殺傷することによりムカデやゴキブリなどグロテスクな虫への恐怖心や逃げ惑う虫を見る恐怖心も軽減され、安全安心してスプレーにて殺傷することができる。また、殺傷後は蓋を開け簡単に死骸を捨て処理することができる。【００１４】  持ち手の柄を設けることにより、天井や高い壁にいるゴキブリだけでなく蛾やハエなどの飛ぶ虫などの捕獲も可能となる。又、持ち手の柄により虫と捕獲を行う人間の距離が遠くなるため、虫に警戒されずらくなりより捕獲の確度が高まる。ある程度の距離は捕獲を行う人間のムカデやゴキブリなどへの恐怖心も軽減され捕獲しやすくなる。又、柄の角度の調整は壁の虫を捕獲しやすくし、柄の長さの可変は近場では短く高所では長くに変更することで虫を捕獲しやすくなる。【００１５】  捕獲器の中で粘着シートに虫を付け、取り外して処理をすることで虫嫌いな人でも虫の処理が清潔にスムーズに行え気持ちの負担を軽減できる。
【図面の簡単な説明】
【００１６】
【図１】  本発明の本体箱を示した説明図である。
【図２】  スライド式蓋を示した説明図である。
【図３】  本体箱にスライド式蓋をしめようとしている説明図である。
【図４】  本体箱にスライド式蓋を完全に閉めた説明図である。
【図５】  本体箱にノズル差込穴から殺虫剤を使用する説明図である。
【図６】  粘着シート板を取り付ける場合の本体箱を示した説明図である。
【図７】  粘着シート板を取り付けた柄の部分を示した説明図である。
【図８】  粘着シート板をスライド式蓋を閉めた本体箱にセットした説明図である。
【図９】  粘着シート板を取り付けた柄を下に押し下げた説明図である。
【図１０】  粘着シート板を柄についた状態で半分に折りたたんだ図である。
【発明を実施するための形態】
【００１７】  本発明に係る家の虫捕獲器は、本体箱１の１面が開口しており、開口面を虫に対し被せ捕獲する使用であり、開口面の周囲の淵に対し外側にＬ字となるつば２を有した箱と、平面の板の端にコの字状の溝６を有するスライド式蓋５とからなる虫などの捕獲器であって、前記箱のつば２に蓋のコの字溝６が引っかかるように溝の無い面７からスライドさせて篏合させ、奥の淵も溝に差し込み完全に蓋をして持ち上げても蓋は落ちず内部の密閉状態を維持でき片手で持ち運ぶことができる。
【００１８】  ノズル差込穴３より殺虫剤等のスプレーのノズルを差込み殺虫スプレーを本体箱１の中だけでスプレーすることもできる。ノズル使用時以外は完全に塞がるよう穴に蓋をつける。
【００１９】  本体箱１の上部に伸縮可能で角度変更可能な持ち手となる柄４を取り付けることで、天井や高い壁にいるゴキブリだけでなく蛾やハエなどの飛ぶ虫などの捕獲も可能となる。持ち手の柄４の伸縮方法と角度変更の方法は様々な方法を想定する。角度変更は本体箱１と持ち手の柄４の接合部分によるものなどがある。
【００２０】  本体箱１は透明あるいは半透明で捕獲した虫の状態が見えるものであり、開口面は床や壁の面に対し水平であり床や壁に置いた時、接合面に隙間は無く内部は密閉状態となること。本体箱１は四角形、長方形、円柱、円錐などでも可能で、つば２は向かい合う２箇所以上で可能だが３箇所か４箇所あったほうが安定性が高まる。
【００２１】  スライド式蓋５の溝無しの端７は蓋の持ち手として本体箱に対して少し長めでもよい。本体箱１が円柱や円錐など底部が丸の場合、スライド式蓋は箱と同じ丸もしくは楕円でも四角もしくは長方形でも本発明のつばと溝を用いたスライド式蓋の仕組みが可能である。
【００２２】  尚、スライド式蓋をはめる際に虫が床面におりスライド式蓋が閉めずらいのではと懸念があるかもしれないが、虫はスライド式蓋に触れると壁などに逃げるか蓋の上に乗るし、動きづらい虫でも本発明の方式ではスライド式蓋５にて床壁面にある虫の足をグリグリッと刺激するので虫もより移動せざる得ない状態となるのでより懸念を解決するものである。また、捕獲後の蓋の開け方は底のスライド式蓋に虫がいるので、ひっくり返して蓋を上か横にした状態で開けるとスムーズに蓋を開けることができる。
【００２３】  また、粘着シートを使用した方法として、虫に本体箱を被せ捕獲した後、箱の中で上部より粘着シートを押し当てる方法がある。本体箱の１面が開口している本体箱の開口面より少し小さいく本体箱の中を開口面を下に上下に移動できるくらいの大きさの粘着シート板９の一面に粘着シートを張り、板の反対に柄１０をつける。本体箱の開口面の反対側に柄１０を通した状態で柄１０が動くことができるほどの穴を開けその穴に合った筒８を本体箱の外側につける。粘着シート板が箱の内側に入るように柄１０を内側より穴から筒８に差込みセットする。筒８と柄１０には図８のように粘着シート板９を本体箱内側上部に留めたり、図９のように柄１０を押し下げることにより粘着シート板９を本体箱内側下部に下げることのできる仕組みを有する。また粘着シート板９を押し下げた時に粘着シート板９と本体箱の間で小さな虫が粘着シート板９の粘着シートをよけ上部に逃げないように本体箱の内側に粘着シートや隙間ができないような素材や工夫を用いることも有効である。粘着シートの外し方は、粘着シートだけ外す仕組み、もしくは粘着シート板９ごと外す仕組みにて粘着シートに着いた虫を清潔にスムーズに処理することができる。粘着シート板９ごと取り外す仕組みは、粘着シート板９が粘着シート面を内側に半分に折りたためる仕組みで虫を見なくてすむ。更には柄１０にボタンなどの仕組みを有し柄１０からの操作により粘着シート板９が粘着シート面を内側に半分に折りたたんだり、粘着シート板９を取り外したりでき、虫に手を近づけることなく処理ができるので安心して処理ができる。
【符号の説明】
【００２２】１  本体箱
２  開口面淵のつば
３  ノズル差込穴
４  持ち手の柄
５  スライド式蓋
６  コの字溝
７  溝無しの端
８  筒
９  粘着シート板
１０  柄
【図１】
2019170354.tif 000003
【図２】
2019170354.tif 000004
【図３】
2019170354.tif 000005
【図４】
2019170354.tif 000006
【図５】
2019170354.tif 000007
【図６】
2019170354.tif 000008
【図７】
2019170354.tif 000009
【図８】
2019170354.tif 000010
【図９】
2019170354.tif 000011
【図１０】
2019170354.tif 000012